(57)【要約】【課題】  電子機器本体を初期化する際に、時計を再設定する手間を省く。【解決手段】  現在時刻を計時し、現在時刻情報を出力する時計２２を備えるバッテリーパック２０と、上記バッテリーパック２０から電源が供給される機器本体１０からなる電子機器１００であって、初期化処理の際に、上記電源装置２０の時計２２から時刻情報を受信して時刻の設定を行うシステム制御回路１１を上記機器本体１０に備える。【選択図】        図１
2006195581.tif 000002
【特許請求の範囲】
【請求項１】
電子機器に電源を供給する電源装置であって、
現在時刻を計時し、現在時刻情報を出力する時計手段を備えることを特徴とする電源装置。
【請求項２】
上記時計手段は、電源を供給している電子機器の時刻情報が初期化されたことを検知し、当該機器に時刻情報を送信することを特徴とする請求項１記載の電源装置。
【請求項３】
上記時計手段は、電源を供給している電子機器が正常に作動しているときに、上記電子機器から時刻情報を受信し、受信した時刻情報で発生する時刻情報の同期をとることを特徴とすること請求項１記載の電源装置。
【請求項４】
さらに、電源を供給する電子機器を識別するＩＤ情報を記憶する記憶手段を備えることを特徴とする請求項１記載の電源装置。
【請求項５】
上記記憶手段は、電子機器の各設定情報を機器のＩＤ情報毎に記憶することを特徴とする請求項４記載の電源装置。
【請求項６】
上記記憶手段は、電源を供給している電子機器の各設定情報が初期化されたことを検知し、当該機器が登録されたＩＤ情報の機器であれば、機器の設定情報を本体機器に送信することを特徴とする請求項５記載の電源装置。
【請求項７】
上記記憶手段は、電源を供給している電子機器が正常に作動しているときに、上記電子機器に内蔵される記憶装置から当該電子機器の設定情報を受信し、受信した設定情報を上書きすることを特徴とする請求項５記載の電源装置。
【請求項８】
上記記憶手段に記憶している電子機器の設定情報を上書きすることを知らせる告知手段を備えることを特徴とする請求項７記載の電源装置。
【請求項９】
充電池を内蔵するバッテリーパックであることを特徴とする請求項１記載の電源装置。
【請求項１０】
商用電源を整流して出力するＡＣアダプターの接続端子を備えることを特徴とする請求項９記載の電源装置。
【請求項１１】
商用電源を整流して出力するＡＣアダプターであることを特徴とする請求項１記載の電源装置。
【請求項１２】
現在時刻を計時し、現在時刻情報を出力する時計手段を備える電源装置と、上記電源装置から電源が供給される機器本体からなる電子機器であって、
初期化処理の際に、上記電源装置の時計手段から時刻情報を受信して時刻の設定を行う制御手段を上記機器本体に備えることを特徴とする電子機器。
【請求項１３】
上記電源装置は、電源を供給している機器本体の時刻情報が初期化されたことを検知し、上記時計手段から当該機器本体に時刻情報を送信することを特徴とする請求項１２記載の電子機器。
【請求項１４】
上記電源装置は、電源を供給している機器本体が正常に作動しているときに、上記機器本体から時刻情報を受信し、受信した時刻情報で上記時計手段が発生する時刻情報の同期をとることを特徴とすること請求項１２記載の電子機器。
【請求項１５】
上記機器本体は、当該機器本体固有のＩＤ情報を記憶したＩＤ情報記憶手段を備え、
上記電源装置は、電源を供給する機器本体を識別するＩＤ情報を記憶する記憶手段を備えることを特徴とする請求項１２記載の電子機器。
【請求項１６】
上記機器本体は、当該本体機器の各設定情報を記憶する設定情報記憶手段を備え、
上記電源装置は、本体機器の各設定情報を上記記憶手段に機器本体のＩＤ情報毎に記憶することを特徴とする請求項１５記載の電子機器。
【請求項１７】
上記電源装置は、電源を供給している機器本体の各設定情報が初期化されたことを検知し、当該機器本体が登録されたＩＤ情報の機器であれば、機器本体の設定情報を当該機器本体に送信することを特徴とする請求項１６記載の電子機器。
【請求項１８】
上記電源装置は、電源を供給している機器本体が正常に作動しているときに、上記機器本体に備えられた設定情報記憶手段から当該機器本隊の設定情報を受信し、受信した設定情報を上記記憶手段に上書きすることを特徴とする請求項１６記載の電子機器。
【請求項１９】
上記電源装置は、上記記憶手段に記憶している機器の設定情報を上書きすることを知らせる告知手段を備えることを特徴とする請求項１８記載の電子機器。
【請求項２０】
上記電源装置は、充電池を内蔵するバッテリーパックであることを特徴とする請求項１２記載の電子機器。
【請求項２１】
上記電源装置は、商用電源を整流して出力するＡＣアダプターの接続端子を備えることを特徴とする請求項２０記載の電子機器。
【請求項２２】
上記電源装置は、商用電源を整流して出力するＡＣアダプターであることを特徴とする請求項１２記載の電子機器。
【発明の詳細な説明】
【技術分野】
【０００１】
本発明は、電子機器本体に電源を供給する電源装置及びこの電源装置から電源が供給される電子機器に関する。
【背景技術】
【０００２】
従来、ビデオカメラやデジタルスチカメラ等の撮像機器などの電子機器は、バッテリーパックやＡＣアダプターなどの電源装置により電源が供給されている。また、この種の電子機器は、多機能化が図られており、システム制御用に備えられたマイクロプロセッサにより制御されるようになっている。そして、ユーザー自身が予め時刻や各種機能の各種設定データの設定を行って使用するようになっている。
【発明の開示】
【発明が解決しようとする課題】
【０００３】
しかしながら、ユーザーがビデオカメラやデジタルスチルカメラ等の撮像機器などの電子機器を誤って落下させてしまったり、物にぶつけてしまったりして、強い衝撃を与えた場合、本体機器がフリーズして動かなくなってしまう場合がある。このような場合に、ユーザーは電子機器に設けられたリセット釦を押して、電子機器を初期化することによって、フリーズからの復帰を試みる。本体機器が復帰した場合、すべてのデータが初期化されてしまっているため、ユーザーは、時刻や各設定データを自身で再設定する必要があり、その操作が煩雑であった。また、再設定している間に、撮影機会を逃す恐れがあった。
【０００４】
そこで、本発明の目的は、上述の如き従来の問題点に鑑み、電子機器本体を初期化する際に、時計を再設定する手間を省くことができる電源装置及びこの電源装置から電源が供給される電子機器を提供することにある。
【０００５】
本発明の更に他の目的、本発明によって得られる具体的な利点は、以下に説明される実施の形態の説明から一層明らかにされる。
【課題を解決するための手段】
【０００６】
本発明は、電子機器に電源を供給する電源装置であって、現在時刻を計時し、現在時刻情報を出力する時計手段を備えることを特徴とする。
【０００７】
また、本発明は、現在時刻を計時し、現在時刻情報を出力する時計手段を備える電源装置と、上記電源装置から電源が供給される機器本体からなる電子機器であって、初期化処理の際に、上記電源装置の時計手段から時刻情報を受信して時刻の設定を行う制御手段を上記機器本体に備えることを特徴とする。
【０００８】
本発明に係る電源装置において、上記時計手段は、例えば、電源を供給している電子機器の時刻情報が初期化されたことを検知し、当該機器に時刻情報を送信する。また、上記時計手段は、電源を供給している電子機器が正常に作動しているときに、上記電子機器から時刻情報を受信し、受信した時刻情報で発生する時刻情報の同期をとる。
【０００９】
本発明に係る電源装置は、さらに、電源を供給する電子機器を識別するＩＤ情報を記憶する記憶手段を備える。
【００１０】
本発明に係る電源装置において、上記記憶手段は、電子機器の各設定情報を機器のＩＤ情報毎に記憶する。また、上記記憶手段は、電源を供給している電子機器の各設定情報が初期化されたことを検知し、当該機器が登録されたＩＤ情報の機器であれば、機器の設定情報を本体機器に送信する。さらに、上記記憶手段は、電源を供給している電子機器が正常に作動しているときに、上記電子機器に内蔵される記憶装置から当該電子機器の設定情報を受信し、受信した設定情報を上書きする。
【００１１】
本発明に係る電源装置は、上記記憶手段に記憶している電子機器の設定情報を上書きすることを知らせる告知手段を備えることを特徴とする。
【発明の効果】
【００１２】
本発明に係る電源装置は、時計機能を備えているので、電子機器本体を初期化する際に、時計を再設定する手間を省くことができる。
【００１３】
また、本発明は、電子機器本体の時計バックアップ用電池や、時計を制御するためのICやシステムが不要あるいは小型になるため、本体機器の小型化に貢献できる。
【００１４】
さらに、本発明によれば、機器のユニークＩＤと合わせて、機器の各設定を記憶しているため、機器が初期化された時に機器に特定の設定情報を送ることができる。異なった電子機器に同じ充電池を装着しても、異なった情報を本体機器との間で送受信することがなく、ユーザーの好みの設定を保持することができる。
【発明を実施するための最良の形態】
【００１５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１６】
本発明は、例えば図１に示すような構成の電子機器１００に適用される。
【００１７】
図１に示した電子機器１００は、ビデオカメラやデジタルスチルカメラ等の撮像機器であって、機器本体１０と、この機器本体１０に電源を供給するバッテリーパック２０からなる。
【００１８】
機器本体１０には、当該機器１００を駆動あるいは制御するためのシステム制御回路１１、当該機器１００を操作するための電源ＯＮ／ＯＦＦ釦１２Ａや録画を開始／終了するＲＥＣ釦１２Ｂや当該機器１００のＲＡＭデータを初期化するためのリセット釦１２Ｃ、上記各釦１２Ａ，１２Ｂ，１２Ｃが押されたことを検出して検出されたことをシステム制御回路１１に伝達する検出回路１３、当該機器１００を構成しているシステム制御回路１１など構成要素に電源を供給するための電源回路１４、当該機器１００の設定データや後述する時刻データを送受信するための接続端子１５等が設けられている。
【００１９】
システム制御回路１１は、当該機器１００に設けられたデータ（ユーザーが設定することのできるデータで、ホワイトバランス、プログラムＡＥ、言語、露光、シャープネス、フラッシュレベル、デジタルズームの有無、ワイド画面の切り替え、手ぶれの切り替えなど）を一時的に記憶しておくＲＡＭ１１Ａ、機器本体毎に割り当てられた機器を識別するための機器固有のＩＤ情報（数字、文字又は記号など）を記憶したＲＯＭ１１Ｂ及びＣＰＵ１１Ｃなどからなる。
【００２０】
また、機器本体１０には、バッテリーパック２０を取り付けるための図示しない取り付け部と該バッテリーパック２０の充電池２１から電源を受給するための電源接続端子１６が設けられており、当該機器１００のシステムを稼動するための電源が上記バッテリーパック２０の充電池２１から上記電源接続端子１６を介して電源回路１４に供給されるようになっている。
【００２１】
さらに、機器本体１０には、上記ＲＡＭ１１Ａに記憶された機器の設定データや時刻データを、充電池等の電源がなくても一定の時間、例えば、電池交換に要する時間や電源供給を充電池からＡＣアダプターを介しての直接供給に切り替えるための時間だけ記憶しておくことのできる容量を有するコンデンサー等の小型の充電可能なバックアップ電源１７及びその残量検出回路１８が設けられている。
【００２２】
また、バッテリーパック２０は、充電池２１と、現在時刻を計時し、日付や時刻を管理する時計２２、機器の設定データ（ユーザーが設定することのできるデータで、ホワイトバランス、プログラムＡＥ、言語、露光、シャープネス、フラッシュレベル、デジタルズームの有無、ワイド画面の切り替え、手ぶれの切り替えなど）を一時的に記憶しておくＲＡＭ２３と、電源を供給する電子機器１００の設定データや時刻データを送受信するための接続端子２４と、充電池２１から電子機器１００に電源を供給するための電源接続端子２５が設けられている。
【００２３】
そして、このような構成の電子機器１００におけるシステム制御回路１１のＣＰＵ１１Ｃは、機器本体１０が正常な動作状態にある場合、電源ＯＮ／ＯＦＦ釦１２Ａの操作に連動して例えば図２のフローチャートに示す手順に従って時刻の同期処理を行う。
【００２４】
すなわち、時刻の同期処理では、電源ＯＮ／ＯＦＦ釦１２Ａが押されて電源がオンされたことを検出回路１３が検出すると（ステップＳ１）、撮像機器本体１０の時刻とバッテリーパック２０内の時計２２の時刻を比較し（ステップＳ２）、その時刻が同じであるか否かを判定する（ステップＳ３）。そして、撮像機器本体１０の時刻とバッテリーパック２０内の時計２２の時刻が同じであった場合には、特に何も行わずに時刻の同期処理を終了する。また、時刻に違いがあった場合には、バッテリーパック２０内の時計２２の時刻を修正して（ステップＳ４）、時刻の同期処理を終了する。
【００２５】
また、この電子機器１００におけるシステム制御回路１１のＣＰＵ１１Ｃは、機器本体１０が正常な動作状態にある場合、電源ＯＮ／ＯＦＦ釦１２Ａの操作に連動して例えば図３のフローチャートに示す手順に従って機器の設定データのバックアップ処理を行う。
【００２６】
すなわち、機器の設定データのバンクアップ期処理では、電源ＯＮ／ＯＦＦ釦１２Ａが押されて電源がオンされたと検出回路１３が検出すると（ステップＳ１１）、当該機器本体１０のＲＯＭ１１Ｂに記憶された機器固有のＩＤ情報とバッテリーパック２０内のＲＡＭ２３に記憶されている既存のＩＤ情報を読み込み（ステップＳ１２）、当該機器本体１０のＩＤ情報が既知であるか否かすなわちバッテリーパック２０内のＲＡＭ２３に記憶されている既存のＩＤ情報と一致するか否かを判定する（ステップＳ１３）。そして、機器本体１０のＩＤ情報が既知であれば、バッテリーパック２０内のＲＡＭ２３に記憶されている既存のＩＤ情報に該機器本体１０の設定データをＩＤ情報とともに上書きを行い（ステップＳ１４）、また、該ＩＤ情報が既知でなければ、該機器本体１０の設定データをＩＤ情報とともにバッテリーパック２０内のＲＡＭ２３に新たに記憶して（ステップＳ１５）、機器の設定データのバンクアップ処理を終了する。
【００２７】
なお、上記時刻の同期処理や機器の設定データのバンクアップ処理は、  電源ＯＮ／ＯＦＦ釦１２Ａの操作に連動して行うだけでなく、ＲＥＣの開始／終了、静止画時のレリーズ釦ＯＮ、あるいは上記処理を開始するために専用に設けられた釦のＯＮ／ＯＦＦ等の釦の操作に連動して行うようにしてもよい。
【００２８】
また、この電子機器１００におけるシステム制御回路１１のＣＰＵ１１Ｃは、例えば図４のフローチャートに示す手順に従って機器の初期化処理を行う。
【００２９】
すなわち、機器の初期化処理では、コンデンサーによるバックアップ電源１７の電源残量が規定値以下になったことを残量検出回路１８が検出した場合、あるいはリセット釦１２Ｃされたことを検出回路１３が検出すると（ステップＳ２１）、当該機器本体１０のＲＡＭ１１Ａをクリアして（ステップＳ２２）、バッテリーパック２０内の時計２１の現在時刻情報を受信して、その時刻情報を該機器本体１０内のＲＡＭ１１Ａ内に書き込む（ステップＳ２３）。
【００３０】
また、機器本体１０内のＲＯＭ１１Ｂに記憶された機器固有のＩＤ情報とバッテリーパック２０内のＲＡＭ２３に記憶されている既存のＩＤ情報を読み込み（ステップＳ２４）、当該機器本体１０のＩＤ情報が既知であるか否かすなわちバッテリーパック２０内のＲＡＭ２３に記憶されている既存のＩＤ情報と一致するか否かを判定する（ステップＳ２５）。そして、機器本体１０のＩＤ情報が既知であれば、バッテリーパック２０内のＲＡＭ２３にそのＩＤ情報とともに記憶されている当該機器本体１０の設定データを読み出して機器本体１０内のＲＡＭ１１Ａに記憶して（ステップＳ２６）、機器本体１０内のＲＯＭ１１Ｂに記憶されたブートプログラムにしたがって初期化処理を行いシステムを立ち上げ（ステップＳ２７）、また、機器本体１０のＩＤ情報が既知でなければ、そのＩＤ情報のみをバッテリーパック２０内のＲＡＭ２３に記憶し（ステップＳ２８）、そのまま、機器本体１０内のＲＯＭ１１Ｂに記憶されたブートプログラムにしたがって初期化処理を行いシステムを立ち上げ（ステップＳ２７）、機器の初期化処理を終了する。このステップＳ２８の処理は、当該機器を購入して初めてバッテリーパック２０を装着した場合にも当てはまる。
【００３１】
ここで、バッテリーパック２０のみに時計および機器の各設定データを記憶できる機能を有していて、かつ撮像機器本体１０に備えられている小型のコンデンサー等によって時刻・各設定をバックアップ可能な時間を経過してしまった場合、バッテリーパック２０を使用しない場合、すなわち、ＡＣアダプターのみを用いる場合には、時刻や各設定のデータを撮像機器本体１０に保持させることができない。そこで、図５に示すように、ＡＣアダプター３０にも上述してきたようなバッテリーパック２０が有する機能を付属させておけば、このような問題を回避できる。このＡＣアダプター３０は、電源回路３１と、現在時刻を計時し、日付や時刻を管理する時計３２、機器の設定データ（ユーザーが設定することのできるデータで、ホワイトバランス、プログラムＡＥ、言語、露光、シャープネス、フラッシュレベル、デジタルズームの有無、ワイド画面の切り替え、手ぶれの切り替えなど）を一時的に記憶しておくＲＡＭ３３と、電源を供給する電子機器１００の設定データや時刻データを送受信するための接続端子３４と、電源回路３１から電子機器１００に電源を供給するための電源接続端子３５が設けられている。
【００３２】
また、上述してきたように本体機器１０の時刻データおよび設定データをバッテリーパック２０に送信して、バッテリーパック２０内の情報を更新するような働きを、本体機器１０とＡＣアダプター３０間でも行うことによってＡＣアダプター３０内の情報も常に更新されることになり、バッテリーパック２０内の情報とＡＣアダプター３０内の情報は概ね一致していることになる。なお、ＡＣアダプター３０は機器本体１０に直接に接続することが可能とする。
【００３３】
また、図６に示すように、ＡＣアダプター４０の接続コネクター４０Ａが本体機器１０にはなく、代わりにバッテリーパック２０Ａに設けられている場合には、ＡＣアダプター４０の使用時にも常にバッテリーパック２０Ａを使用することとなる。その場合には、上述したようなＡＣアダプター４０内に時計と各設定を保存するためのメモリを付属しなくても良いことなり、コストの削減や、ＡＣアダプター４０の小型化に貢献できる。
【図面の簡単な説明】
【００３４】
【図１】本発明を適用したバッテリーパックを備える電子機器の構成を示すブロック図である。
【図２】上記電子機器における時刻の同期処理の手順を示すフローチャートである。
【図３】上記電子機器における設定データのバックアップ処理の手順を示すフローチャートである。
【図４】上記電子機器における初期化処理の手順を示すフローチャートである。
【図５】本発明を適用したＡＣアダプターの構成を示すブロック図である。
【図６】本発明を適用したバッテリーパックの変形例の構成を示すブロック図である。
【符号の説明】
【００３５】
１０  機器本体、１１  システム制御回路、１１Ａ  ＲＡＭ、１１Ｂ  ＲＯＭ、１１Ｃ  ＣＰＵ、１２Ａ  電源ＯＮ／ＯＦＦ釦、１２Ｂ  ＲＥＣ釦、１２Ｃ  リセット釦、１３  検出回路、１４  電源回路、１５  接続端子、１６  電源接続端子、１７  バックアップ電源、１８  残量検出回路、２０  バッテリーパック、２１  充電池、２２  時計、２３  ＲＡＭ、  ２４  接続端子、２５  電源接続端子、３０  ＡＣアダプター、３１  電源回路、３２  時計、３３  ＲＡＭ、  ３４  接続端子、３５  電源接続端子、４０  ＡＣアダプター、４０Ａ  接続端子、１００  電子機器
【図１】
2006195581.tif 000003
【図２】
2006195581.tif 000004
【図３】
2006195581.tif 000005
【図４】
2006195581.tif 000006
【図５】
2006195581.tif 000007
【図６】
2006195581.tif 000008